(57)【要約】【課題】ピッチ汚染防止の対象となる装置に対し、全体的に十分な量を付与することができ、ピッチ汚染をより防止することができる汚染防止剤組成物を提供すること。【解決手段】本発明は、抄紙機ドライパートＤに付与され、エマルジョンと、再乳化剤とからなり、ドライパートに付与した後、乾燥することにより、エマルジョンにより被膜１が形成され、湿紙と接することにより被膜１の一部が再乳化される汚染防止剤組成物１ａである。【選択図】図１
2016186141.tif 000002
【特許請求の範囲】
【請求項１】
抄紙機におけるドライパートに付与され、
エマルジョンと、再乳化剤とからなる汚染防止剤組成物。
【請求項２】
前記エマルジョンが、アミノ変性シリコーンエマルジョンであり、
前記再乳化剤が、レベリング剤である請求項１記載の汚染防止剤組成物。
【請求項３】
前記レベリング剤が、ポリエーテル変性シリコーンである請求項２記載の汚染防止剤組成物。
【請求項４】
前記エマルジョンが、アミノ変性シリコーンエマルジョンであり、
前記再乳化剤が、ノニオン性界面活性剤であり、
該ノニオン性界面活性剤のＨＬＢが４〜１６である請求項１記載の汚染防止剤組成物。
【請求項５】
前記エマルジョンが、非シリコーンエマルジョンであり、
前記再乳化剤が、ノニオン性界面活性剤であり、
該ノニオン性界面活性剤のＨＬＢが４〜１６である請求項１記載の汚染防止剤組成物。
【請求項６】
前記ノニオン性界面活性剤が多価アルコール又はポリエーテルである請求項４又は５に記載の汚染防止剤組成物。
【請求項７】
前記ドライパートに付与した後、乾燥することにより、前記エマルジョンにより被膜が形成され、
湿紙と接することにより前記被膜の一部が再乳化される請求項１〜６のいずれか１項に記載の汚染防止剤組成物。
【発明の詳細な説明】
【技術分野】
【０００１】
本発明は、汚染防止剤組成物に関し、更に詳しくは、ピッチ汚染防止の対象となる装置に対し、全体的に十分な量を付与することができ、ピッチ汚染をより防止することができる汚染防止剤組成物に関する。
【背景技術】
【０００２】
抄紙機における抄紙工程は、一般に水中にパルプが分散された液を抄紙用の網（ワイヤー）に載せ、余分な水を自然落下させることにより湿紙とするワイヤーパートと、湿紙を一対のプレスロール間に通し、フェルトを介してプレスロールで押圧することにより、湿紙中の水分をフェルトに移行させ、これにより湿紙を脱水するプレスパートと、プレスパートを通過した湿紙を、加熱されたシリンダに接触させることで乾燥させ、紙とするドライパートと、紙をスプールと呼ばれる棒に巻き取るリールパートと、を有する。
【０００３】
ところで、上記ドライパートにおいては、シリンダ、カンバス、カンバスロール、カレンダーロール、ブレーカースタックロール等の装置の表面にピッチが付着する問題がある。これらにピッチが付着すると、紙が汚染され、歩留まりが大きく低下する。
【０００４】
これに対し、抄紙工程のドライパートにおけるピッチ汚染を防止する汚染防止剤組成物として、シリコーン系汚染防止剤組成物と、非シリコーン系汚染防止剤組成物とが知られている。
例えば、シリコーン系汚染防止剤組成物としては、所定の化学構造式を有するポリシロキサン化合物を含み、ポリシロキサン化合物１分子あたりのアミノ変性基の個数が０．５〜５個である汚染防止剤組成物が知られている（例えば、特許文献１参照）。
また、非シリコーン系汚染防止剤組成物としては、非シリコーン系オイルと、該非シリコーン系オイルを乳化させる乳化剤と、を有し、前記乳化剤が、脂肪酸とアミン化合物との中和物である汚染防止剤組成物が知られている（例えば、特許文献２参照）。
【０００５】
ところが、これらの汚染防止剤組成物においては、当該汚染防止剤組成物を付与した部位のピッチ汚染を防止することができるものの、それだけでは他の部位のピッチ汚染を十分に防止することはできない。このため、ピッチ汚染防止の対象となる装置に対し、複数箇所で汚染防止剤組成物を付与する必要がある。
【０００６】
これに対し、所定の化学構造式を有する低分子ポリシロキサン化合物と、所定の化学構造式を有する高分子ポリシロキサン化合物と、を含み、低分子ポリシロキサン化合物の２５℃における動粘度が１０〜３００ｍｍ２／ｓであり、高分子ポリシロキサン化合物の２５℃における動粘度が４０〜９００００ｍｍ２／ｓであり、低分子ポリシロキサン化合物１分子辺りの変性基の個数が０．１〜３．０個であり、高分子ポリシロキサン化合物１分子辺りの変性基の個数が１．０〜１０個であり、低分子ポリシロキサン化合物におけるポリシロキサン単位の繰り返し数ｍと、前記高分子ポリシロキサン化合物におけるポリシロキサン単位の繰り返し数ｎとが、
２ｍ≦ｎ
の関係を満たす汚染防止剤組成物が知られている（例えば、特許文献３参照）。
かかる汚染防止剤組成物においては、当該汚染防止剤組成物を付与した部位に高分子ポリシロキサン化合物が被膜を形成する一方で、低分子ポリシロキサン化合物が湿紙に転移して、当該湿紙により運ばれ、湿紙が案内される下流側の部位に低分子ポリシロキサン化合物が再転移されるため、ピッチ汚染防止の対象となる装置に対し、全体的にピッチ汚染を防止することが可能である。
【先行技術文献】
【特許文献】
【０００７】
【特許文献１】特許第４８６８６２８号公報
【特許文献２】特許第４８２８００１号公報
【特許文献３】特許第４８６８６２９号公報
【発明の概要】
【発明が解決しようとする課題】
【０００８】
しかしながら、上記特許文献３記載の汚染防止剤組成物においては、ピッチ汚染防止の対象となる装置に対し、全体的にピッチ汚染を防止することは可能であるものの、特に湿紙の走行に対し下流側の部位においてはピッチ汚染を十分に防止できるとはいえない。
すなわち、上記特許文献３記載の汚染防止剤組成物においては、被膜を形成する高分子ポリシロキサン化合物は、湿紙に転移されず、湿紙に転移される低分子ポリシロキサン化合物は、湿紙に転移されるものの、ピックアップ率が低く、十分な量を湿紙の走行に対し下流側の部位に再転移させることができないという欠点がある。
【０００９】
本発明は上記事情に鑑みてなされたものであり、ピッチ汚染防止の対象となる装置に対し、全体的に十分な量を付与することができ、ピッチ汚染をより防止することができる汚染防止剤組成物を提供することを目的とする。
【課題を解決するための手段】
【００１０】
本発明者等は、上記課題を解決するため鋭意検討したところ、再乳化剤を汚染防止剤組成物に含ませることにより、上記課題を解決し得ることを見出し、本発明を完成させるに至った。
【００１１】
本発明は、（１）抄紙機におけるドライパートに付与され、エマルジョンと、再乳化剤とからなる汚染防止剤組成物に存する。
【００１２】
本発明は、（２）エマルジョンが、アミノ変性シリコーンエマルジョンであり、再乳化剤が、レベリング剤である上記（１）記載の汚染防止剤組成物に存する。
【００１３】
本発明は、（３）レベリング剤が、ポリエーテル変性シリコーンである上記（２）記載の汚染防止剤組成物に存する。
【００１４】
本発明は、（４）エマルジョンが、アミノ変性シリコーンエマルジョンであり、再乳化剤が、ノニオン性界面活性剤であり、該ノニオン性界面活性剤のＨＬＢが４〜１６である上記（１）記載の汚染防止剤組成物に存する。
【００１５】
本発明は、（５）エマルジョンが、非シリコーンエマルジョンであり、再乳化剤が、ノニオン性界面活性剤であり、該ノニオン性界面活性剤のＨＬＢが４〜１６である上記（１）記載の汚染防止剤組成物に存する。
【００１６】
本発明は、（６）ノニオン性界面活性剤が多価アルコール又はポリエーテルである上記（４）又は（５）に記載の汚染防止剤組成物に存する。
【００１７】
本発明は、（７）ドライパートに付与した後、乾燥することにより、エマルジョンにより被膜が形成され、湿紙と接することにより被膜の一部が再乳化される上記（１）〜（６）のいずれか１つに記載の汚染防止剤組成物に存する。
【発明の効果】
【００１８】
本発明の汚染防止剤組成物においては、エマルジョンに加え、再乳化剤が含まれているので、エマルジョンが乾燥することにより形成された被膜に、水分を含む湿紙が接触することにより、当該被膜が再乳化される。これにより、汚染防止剤組成物の湿紙へのピックアップ率を増やすことができる。
このため、例えば、湿紙の走行に対して最も上流側の部位に付与すると、当該上流側の部位のみならず、他の下流側の部位に対しても十分な量を付与することができる。
その結果、ピッチ汚染防止の対象となる装置のピッチ汚染を全体的に防止することが可能となる。
【００１９】
本発明の汚染防止剤組成物においては、エマルジョンがアミノ変性シリコーンエマルジョンであり、再乳化剤がレベリング剤である場合、ピッチ汚染をより防止することができ、アミノ変性シリコーンエマルジョンにより形成される被膜を簡単に再乳化させることができる。
このとき、レベリング剤が、ポリエーテル変性シリコーンであることが好ましい。
【００２０】
本発明の汚染防止剤組成物においては、エマルジョンがアミノ変性シリコーンエマルジョンであり、再乳化剤がノニオン性界面活性剤であり、再乳化剤が、ノニオン性界面活性剤であり、該ノニオン性界面活性剤のＨＬＢが４〜１６である場合、ピッチ汚染をより防止することができ、アミノ変性シリコーンエマルジョンにより形成される被膜を簡単に再乳化させることができる。
このとき、ノニオン性界面活性剤が多価アルコール又はポリエーテルであることが好ましい。
【００２１】
本発明の汚染防止剤組成物においては、エマルジョンが非シリコーンエマルジョンであり、再乳化剤が、ノニオン性界面活性剤であり、該ノニオン性界面活性剤のＨＬＢが４〜１６である場合、ピッチ汚染をより防止することができ、非シリコーンエマルジョンにより形成される被膜を簡単に再乳化させることができる。
このとき、ノニオン性界面活性剤が多価アルコール又はポリエーテルであることが好ましい。
【００２２】
本発明の汚染防止剤組成物においては、ドライパートに付与した後、乾燥することにより、エマルジョンにより被膜が形成され、その後、当該被膜が湿紙と接することにより被膜の一部が再乳化されるので、湿紙へのピックアップ率を向上させることができる。
【図面の簡単な説明】
【００２３】
【図１】図１は、本発明に係る汚染防止剤組成物の作用を説明するための説明図である。
【図２】図２は、本発明に係る汚染防止剤組成物を用いるドライパートのドライパート部位を示す概略図である。
【発明を実施するための形態】
【００２４】
以下、必要に応じて図面を参照しつつ、本発明の好適な実施形態について詳細に説明する。なお、上下左右等の位置関係は、特に断らない限り、図面に示す位置関係に基づくものとする。また、図面の寸法比率は図示の比率に限られるものではない。
【００２５】
本発明に係る汚染防止剤組成物は、抄紙機のドライパートに付与することにより、ドライパートのピッチ汚染を防止することができる。
なお、かかるドライパートは、シリンダ、カンバス、カンバスロール、カレンダーロール、ブレーカースタックロール等を意味する。
【００２６】
上記汚染防止剤組成物は、エマルジョンと、再乳化剤とからなる。
以下、エマルジョンが、アミノ変性シリコーンエマルジョンである場合と、非シリコーンエマルジョンである場合とについて説明する。
【００２７】
（第１実施形態）
第１実施形態に係る汚染防止剤組成物において、エマルジョンは、アミノ変性シリコーンエマルジョンからなる。すなわち、当該エマルジョンは、アミノ変性シリコーンと水とを、乳化剤により乳化させたものである。
【００２８】
また、乳化剤としては、公知のノニオン性界面活性剤、アニオン性界面活性剤、カチオン性界面活性剤、両性界面活性剤等が用いられる。
これらの中でも、乳化剤は、ノニオン性界面活性剤であることが好ましい。
かかるノニオン性界面活性剤としては、ポリオキシエチレンアルキルエーテル、ポリオキシエチレンアルキルチオエーテル、ポリオキシエチレン脂肪酸エステル、ポリオキシエチレンソルビタンモノ脂肪酸エステル、グリセリンモノ脂肪酸エステル等が挙げられる。なお、これらは、単独で用いてもよく、複数を混合して用いてもよい。
これらの中でも、ノニオン性界面活性剤は、変性シリコーンの乳化安定性の観点から、ポリオキシエチレンアルキルエーテルであることが好ましく、更には、ポリオキシエチレンデシルエーテル、ポリオキシエチレンウンデシルエーテル、ポリオキシエチレンセチルエーテル又はポリオキシエチレンステアリルエーテルであることがより好ましい。
【００２９】
第１実施形態に係る汚染防止剤組成物において、再乳化剤としては、レベリング剤やノニオン性界面活性剤（以下便宜的に「第１ノニオン性界面活性剤」という。）が挙げられる。
レベリング剤としては、ポリエーテル変性シリコーン、エポキシポリエーテル変性シリコーン等のシリコーン系、フッ素系、アクリル系、エーテル系、ビニル系等が挙げられる。なお、これらは、単独で用いてもよく、複数を混合して用いてもよい。
これらの中でも、レベリング剤（再乳化剤）は、ポリエーテル変性シリコーンであることが好ましい。
【００３０】
第１ノニオン性界面活性剤としては、ＨＬＢが４〜１６のものが用いられる。
ＨＬＢが４未満又は１６を超えると、湿紙に含まれる水及びアミノ変性シリコーンとの相溶性が低下するため、再乳化の機能を十分に果たせなくなる。
具体的には、第１ノニオン性界面活性剤としては、多価アルコール又はポリエーテルが挙げられる。
【００３１】
このとき、汚染防止剤組成物の表面張力が６５ｍＮ／ｍ以下であることが好ましい。
汚染防止剤組成物の表面張力が６５ｍＮ／ｍを超えると、乳化するスピードが遅くなる傾向にある。すなわち、瞬時に乳化しないため、ピックアップ率が十分に向上しない。
なお、表面張力は、測定装置であるＤｒｏｐ  Ｍａｓｔｅｒ（協和界面科学株式会社製）において、ガラス製注射筒、テフロンコート針１８ゲージを用い、温度２０〜２５℃、湿度４０〜６０％の環境下で測定した値である。
【００３２】
汚染防止剤組成物には、キレート剤、ｐＨ調整剤、防腐剤、分散剤、粘度調整剤、固体潤滑剤、湿潤剤、ダスティング防止剤、離型剤、接着剤、表面修正剤、洗浄剤、紙力増強剤、サイズ剤、歩留向上剤、撥水剤、撥油剤、防滑剤、柔軟剤等の添加剤が含まれていてもよい。
【００３３】
第１実施形態に係る汚染防止剤組成物の製造方法は、アミノ変性シリコーンエマルジョンに再乳化剤を加えて撹拌混合することにより得られる。
かかる撹拌混合は、ハンドミキサー、ホモジナイザー等が好適に用いられる。なお、サンドミル、ビーズミル、ボールミル等の分散機で分散させてもよい。
【００３４】
図１は、本発明に係る汚染防止剤組成物の作用を説明するための説明図である。
図１に示すように、汚染防止剤組成物は、ピッチ汚染防止の対象となる装置の所定の部位１０に付与される。
このとき、所定の部位１０は、湿紙Ｗを乾燥させるドライパートであるので、高温となっている。
このため、所定の部位１０においては、汚染防止剤組成物に含まれる水の一部が蒸発し、アミノ変性シリコーンエマルジョンにより被膜１が形成される。
【００３５】
次に、所定の部位１０が走行（回動）し、湿紙Ｗを案内するために湿紙Ｗと接触すると、湿紙Ｗに含まれる水と再乳化剤とが作用することにより、被膜１の一部が再乳化する。そして、再乳化した汚染防止剤組成物１ａが湿紙Ｗに転移する。
【００３６】
次に、走行する湿紙Ｗが別の部位１１に接触すると、汚染防止剤組成物１ａの別の部位１１に接触している側の一部が加熱され、アミノ変性シリコーンエマルジョが被膜化する。
これにより、別の部位１１にも被膜１が形成されることになる。なお、このとき、湿紙Ｗ側の汚染防止剤組成物は、被膜化されずに、湿紙Ｗと共に次の部位に搬送される。
そして、この操作が繰り返されることにより、湿紙が案内される下流側の部位に次々と汚染防止剤組成物１が再転移されることになる。
【００３７】
以上より、第１実施形態に係る汚染防止剤組成物１においては、所定の部位１０に形成された被膜１に、水分を含む湿紙Ｗが接触することにより、当該被膜１が再乳化され、汚染防止剤組成物１となるので、汚染防止剤組成物の湿紙へのピックアップ率を増やすことができる。
また、例えば、湿紙Ｗの走行に対して最も上流側の部位に付与すると、当該上流側の部位のみならず、他の下流側の部位に対しても十分な量を付与することができる。
その結果、ピッチ汚染防止の対象となる装置のピッチ汚染を全体的に防止することが可能となる。
【００３８】
次に、ドライパートにおける汚染防止剤組成物の使用方法について説明する。
図２は、本発明に係る汚染防止剤組成物を用いるドライパートを示す概略図である。
図２に示すように、汚染防止剤組成物は、ドライパートＤで用いられる。
ドライパートＤは、湿紙Ｗと、該湿紙Ｗを加熱乾燥するための複数の円筒状のシリンダＤ１，Ｄ２，Ｄ３，Ｄ４，Ｄ５，Ｄ６，Ｄ７及びＤ８（以下「Ｄ１〜Ｄ８」という。）と、湿紙をシリンダＤ１〜Ｄ８に押し付けるカンバスＫ１，Ｋ２と、カンバスＫ１，Ｋ２を案内するカンバスロールＫＲと、乾燥した湿紙Ｗの平滑性と紙厚を緩やかに調整するブレーカースタックロールＢと、乾燥した湿紙Ｗの平滑性と紙厚を調整するカレンダーロールＣと、を備える。
【００３９】
ドライパートＤにおいては、回転するシリンダＤ１〜Ｄ８の表面に湿紙ＷがカンバスＫ１，Ｋ２により圧接される。これにより、湿紙ＷがシリンダＤ１〜Ｄ８に付着し、同時に加熱乾燥されるようになっている。
その後、湿紙Ｗは、ブレーカースタックロールＢに挟持され、次いで、湿紙Ｗは、カレンダーロールＣにより高密度化される。
【００４０】
汚染防止剤組成物の使用方法においては、図２に示すように、ドライパートＤのシリンダＤ１〜Ｄ８、カンバスＫ１，Ｋ２、ブレーカースタックロールＢ、カレンダーロールＣに対して、それぞれ矢印Ａの位置で汚染防止剤組成物が付与される。
なお、汚染防止剤組成物の付与方法は特に限定されず、例えば、散布ノズル等を用いたシャワー方式や噴霧方式等が用いられる。
【００４１】
汚染防止剤組成物が矢印Ａの位置で付与されると、各装置が走行（回動）し、湿紙を案内すると共に、汚染防止剤組成物が当該湿紙に転移する。
そうすると、汚染防止剤組成物が湿紙により運ばれ、湿紙が案内される下流側の部位に再転移される。
これにより、各装置に対し、全体的に汚染防止剤組成物が付与され、ピッチ汚染を防止することが可能となる。
【００４２】
このとき、汚染防止剤組成物の散布量は、湿紙の通過面積当たりの不揮発分量として、０．０２ｍｇ／ｍ２〜２．０ｍｇ／ｍ２であることが好ましい。
散布量が０．０２ｍｇ／ｍ２未満であると、散布量が上記範囲内にある場合と比較して、汚染防止剤組成物が十分に各装置の表面に付着せず、ピッチ汚染を十分に防止できない場合がある。また、散布量が２．０ｍｇ／ｍ２を超えると、散布量が上記範囲内にある場合と比較して、汚染防止剤組成物が汚染の原因となる虞がある。
【００４３】
（第２実施形態）
第２実施形態に係る汚染防止剤組成物において、エマルジョンは、非シリコーンエマルジョンからなる。すなわち、当該非シリコーンエマルジョンは、シリコーン以外の油性有機化合物と水とを、乳化剤により乳化させたものである。
ここで、油性有機化合物としては、ギアー油、シリンダ油、タービン油、スピンドル油等の鉱油、ヤシ油、アマニ油、ヒマシ油、ナタネ油、コーン油等の植物油、流動パラフィン、イソパラフィン等のパラフィン類、ポリイソブチレン、ポリブテン、マレイン化ポリブテン、エステル油等の合成油、ポリエチレンワックス、マイクロワックス等のワックス、１２−ヒドロキシステアリン酸等が挙げられる。なお、これらは、単独で用いてもよく、複数を混合して用いてもよい。
これらの中でも、油性有機化合物は、散布ノズルの目詰まり防止の観点から、エステル油、流動パラフィン、又は、ブテン鎖を有するポリブテン若しくはマレイン化ポリブテンであることが好ましい。
【００４４】
また、乳化剤としては、公知のノニオン性界面活性剤、アニオン性界面活性剤、カチオン性界面活性剤、両性界面活性剤等が用いられる。
これらの中でも、乳化剤は、アニオン性界面活性であることが好ましく、脂肪酸とアミン化合物との中和物であることがより好ましい。この場合、有機物の塩を用いることで、油性有機化合物の乳化安定性が向上する。また、脂肪酸を油性有機化合物に溶解し、アミン化合物を水に溶解し、これらを混合して両者の中和反応を利用することにより、比較的容易に、乳化させることが可能である。
【００４５】
脂肪酸としては、紙の色抜け抑制の観点から、炭素数が１６以上であることが好ましい。具体的には、ステアリン酸、オレイン酸、バクセン酸、リノール酸、リノレン酸、モンタン酸、ベヘニン酸、ポリカルボン酸等の飽和脂肪酸や、これらを不飽和にした不飽和脂肪酸等が挙げられる。なお、これらは、単独で用いてもよく、複数を混合して用いてもよい。
これらの中でも、脂肪酸は、乳化安定性及び汎用性の観点から、ベヘニン酸、ステアリン酸、モンタン酸又はポリカルボン酸であることが好ましく、色抜け抑制の観点から、ベヘニン酸、ステアリン酸、モンタン酸及びポリカルボン酸からなる群より選ばれる少なくとも２種以上が用いられることがより好ましい。
【００４６】
アミン化合物としては、モルホリン、アンモニア、エチレンジアミン、エタノールアミン、ジエタノールアミン、トリエタノールアミン、ジイソプロパノールアミン等が挙げられる。なお、これらは、単独で用いてもよく、複数を混合して用いてもよい。
これらの中でも、アミン化合物としては、乳化安定性の観点から、モルホリン、ジエタノールアミン又はトリエタノールアミンであることが好ましい。
【００４７】
第２実施形態に係る汚染防止剤組成物において、再乳化剤としては、ノニオン性界面活性剤（以下便宜的に「第２ノニオン性界面活性剤」という。）が挙げられる。
第２ノニオン性界面活性剤としては、ＨＬＢが４〜１６のものが用いられる。
ＨＬＢが４未満又は１６を超えると、湿紙に含まれる水及びアミノ変性シリコーンとの相溶性が低下するため、再乳化の機能を十分に果たせなくなる。
具体的には、ノニオン性界面活性剤としては、多価アルコール又はポリエーテルが挙げられる。
【００４８】
このとき、汚染防止剤組成物の表面張力が６５ｍＮ／ｍ以下であることが好ましい。
汚染防止剤組成物の表面張力が６５ｍＮ／ｍを超えると、乳化するスピードが遅くなる傾向にある。すなわち、瞬時に乳化しないため、ピックアップ率が十分に向上しない。
なお、表面張力は、測定装置であるＤｒｏｐ  Ｍａｓｔｅｒ（協和界面科学株式会社製）において、ガラス製注射筒、テフロンコート針１８ゲージを用い、温度２０〜２５℃、湿度４０〜６０％の環境下で測定した値である。
【００４９】
汚染防止剤組成物には、キレート剤、ｐＨ調整剤、防腐剤、分散剤、粘度調整剤、固体潤滑剤、湿潤剤、ダスティング防止剤、離型剤、接着剤、表面修正剤、洗浄剤、紙力増強剤、サイズ剤、歩留向上剤、撥水剤、撥油剤、防滑剤、柔軟剤等の添加剤が含まれていてもよい。
【００５０】
第２実施形態に係る汚染防止剤組成物の製造方法は、非シリコーンエマルジョンに再乳化剤を加えて撹拌混合することにより得られる。
かかる撹拌混合は、ハンドミキサー、ホモジナイザー等が好適に用いられる。なお、サンドミル、ビーズミル、ボールミル等の分散機で分散させてもよい。
【００５１】
なお、第２実施形態に係る汚染防止剤組成物の作用は、上述した第１実施形態に係る汚染防止剤組成物の作用と同じであり、ドライパートにおける第２実施形態に係る汚染防止剤組成物の使用方法は、上述した第１実施形態に係る汚染防止剤組成物の使用方法と同じであるため、説明を省略する。
【００５２】
以上、本発明の好適な実施形態について説明したが、本発明は上記実施形態に限定されるものではない。
【００５３】
本実施形態に係る汚染防止剤組成物においては、汚染防止剤組成物をドライパートに付与しているが、ドライパートのみならず、プレスパートやリールパートに応用することも可能である。
【産業上の利用可能性】
【００５４】
本発明の汚染防止剤組成物は、抄紙機におけるドライパートに付与して用いられる。本発明の汚染防止剤組成物によれば、ドライパートのピッチ汚染を防止することができるので、紙の製造における歩留まりを極めて向上させることができる。
【符号の説明】
【００５５】
１・・・被膜
１ａ・・・汚染防止剤組成物
１０，１１・・・部位
Ｂ・・・ブレーカースタックロール
Ｃ・・・カレンダーロール
Ｄ・・・ドライパート
Ｄ１，Ｄ２，Ｄ３，Ｄ４，Ｄ５，Ｄ６，Ｄ７，Ｄ８・・・シリンダ
Ｋ１，Ｋ２・・・カンバス
ＫＲ・・・カンバスロール
Ｗ・・・湿紙
【図１】
2016186141.tif 000003
【図２】
2016186141.tif 000004